(57)【要約】【課題】伝言メッセージをその秘匿性を確保しつつ伝送できるようにする。【解決手段】センタサーバＳＶのデータベース１５に登録された伝言メッセージ情報に対応付けて、当該伝言メッセージ情報の閲覧を許可する利用者端末の電話番号を記載した識別コードリスト情報を登録する。そして、他の利用者端末から上記伝言メッセージ情報の閲覧要求が送られた場合に、その閲覧要求元の利用者端末の電話番号が上記識別コードリスト情報に記載されているか否かを判定し、記載されている場合に上記伝言メッセージ情報を要求元の利用者端末に送信する。【選択図】図２
2008283449.tif 000002
【特許請求の範囲】
【請求項１】
利用者が所持する複数の利用者端末を伝言サーバ装置に対し通信ネットワークを介して接続可能にしたシステムを使用して伝言メッセージ情報を伝送する方法であって、
前記利用者端末が、伝言メッセージ情報を前記通信ネットワークを介して前記伝言サーバ装置へ送信する伝言メッセージ登録要求過程と、
前記伝言サーバ装置が、前記利用者端末から送られた伝言メッセージ情報を受信し、この受信した伝言メッセージ情報を前記送信元の利用者端末の識別情報に対応付けてメモリに記憶する伝言メッセージ登録受付過程と、
前記伝言メッセージの送信元となる利用者端末が、当該伝言メッセージを閲覧可能な利用者端末の一覧を示すリスト情報を前記通信ネットワークを介して前記伝言サーバ装置へ送信するリスト情報登録要求過程と、
前記伝言サーバ装置が、前記利用者端末から送られたリスト情報を受信し、この受信したリスト情報を前記伝言メッセージ又は当該伝言メッセージの送信元となる利用者端末の識別情報に対応付けて前記メモリに記憶するリスト情報登録受付過程と、
前記利用者端末が、伝言メッセージの閲覧要求を前記通信ネットワークを介して前記伝言サーバ装置へ送信する閲覧要求過程と、
前記伝言サーバ装置が、前記利用者端末から送られた伝言メッセージの閲覧要求を受信した場合に、当該閲覧要求元となる利用者端末の識別情報を前記メモリに記憶された該当するリスト情報と照合する照合過程と、
前記伝言サーバ装置が、前記照合の結果前記閲覧要求元となる利用者端末の識別情報が前記リスト情報に含まれている場合に、前記閲覧対象の伝言メッセージ情報を前記メモリから読み出し、この読み出した伝言メッセージ情報を前記通信ネットワークを介して前記閲覧要求元の利用者端末へ送信する伝言メッセージ送信過程と、
前記閲覧要求元の利用者端末が、前記伝言サーバ装置から送られた前記伝言メッセージ情報を受信し、この受信した伝言メッセージ情報を利用者に提示する過程と
を具備することを特徴とする伝言メッセージ伝送方法。
【請求項２】
前記伝言メッセージ登録要求過程は、登録対象の伝言メッセージ情報が複数のメッセージを含む場合に、当該複数のメッセージとこれらのメッセージに対し設定された詳細度レベルを前記伝言サーバ装置へ送信し、
前記伝言メッセージ登録受付過程は、前記利用者端末から送られた複数のメッセージとその詳細度レベルを受信し、この受信した複数のメッセージとその詳細度レベルを送信元の利用者端末の識別情報に対応付けて前記メモリに記憶し、
前記リスト情報登録要求過程は、前記伝言メッセージを閲覧可能な利用者端末の一覧と当該閲覧可能な利用者端末に対し設定された親密度レベルとを含むリスト情報を、前記伝言サーバ装置へ送信し、
前記リスト情報登録受付過程は、前記利用者端末から送られた閲覧可能な利用者端末の一覧と当該閲覧可能な利用者端末に対し設定された親密度レベルとを含むリスト情報を受信し、この受信したリスト情報を前記伝言メッセージ又は当該伝言メッセージの送信元となる利用者端末の識別情報に対応付けて前記メモリに記憶し、
前記伝言メッセージ送信過程は、
前記閲覧要求元となる利用者端末の識別情報が前記リスト情報に含まれている場合に、当該閲覧要求元の利用者端末に対し設定された親密度レベルと、前記伝言メッセージ情報の複数のメッセージに対し設定された詳細度レベルとを比較する過程と、
前記比較結果に基づいて、前記閲覧要求元の利用者端末の親密度レベルに対応する詳細度レベルが設定されたメッセージを前記伝言メッセージ情報の中から選択的に読み出し、この読み出されたメッセージを前記閲覧要求元の利用者端末へ送信する過程と
を備えることを特徴とする請求項１記載の伝言メッセージ伝送方法。
【請求項３】
前記伝言サーバ装置が、前記伝言メッセージ又は当該伝言メッセージの送信元となる利用者端末ごとに、当該伝言メッセージに対し閲覧要求を行った利用者端末の識別情報を含む閲覧履歴情報を作成して記憶する閲覧履歴管理過程を、さらに具備することを特徴とする請求項１記載の伝言メッセージ伝送方法。
【請求項４】
前記利用者端末が、前記伝言サーバ装置のメモリに記憶されたリスト情報に対する編集要求を前記通信ネットワークを介して前記伝言サーバ装置へ送信する過程と、
前記伝言サーバ装置が、前記利用者端末からリスト情報の編集要求が送られた場合に、当該編集要求に応じて前記リスト情報の内容を編集する編集受付過程と
をさらに具備することを特徴とする請求項１記載の伝言メッセージ伝送方法。
【請求項５】
前記閲覧履歴管理過程は、伝言メッセージ又は当該伝言メッセージの送信元となる利用者端末ごとに、当該伝言メッセージに対し閲覧要求を行った利用者端末の識別情報と当該利用者端末による閲覧要求に対する前記照合手段の照合結果を表す情報とを含む閲覧履歴情報を作成して記憶することを特徴とする請求項３記載の伝言メッセージ伝送方法。
【請求項６】
前記利用者端末が、通信相手のアドレス情報を記憶するアドレス帳を備えた携帯端末からなる場合に、
前記リスト情報登録要求過程は、伝言メッセージを閲覧可能な利用者端末を表す情報として前記アドレス情報を前記アドレス帳から選択的に読み出して送信し、
前記リスト情報登録受付過程は、前記利用者端末から送られたアドレス情報を、伝言メッセージ又は当該伝言メッセージの送信元となる利用者端末の識別情報に対応付けて前記メモリに記憶することを特徴とする請求項１記載の伝言メッセージ伝送方法。
【請求項７】
利用者が所持する複数の利用者端末に対し通信ネットワークを介して接続可能な伝言サーバ装置であって、
前記利用者端末から前記通信ネットワークを介して送られる伝言メッセージ情報を受信し、この受信した伝言メッセージ情報を送信元の利用者端末の識別情報に対応付けてメモリに記憶する第１の登録受付手段と、
前記伝言メッセージの送信元となる利用者端末から、当該伝言メッセージを閲覧可能な利用者端末の一覧を示すリスト情報が前記通信ネットワークを介して送られた場合に、当該リスト情報を前記伝言メッセージ又は当該伝言メッセージの送信元となる利用者端末の識別情報に対応付けて前記メモリに記憶する第２の登録受付手段と、
前記利用者端末から前記伝言メッセージの閲覧要求が前記通信ネットワークを介して送られた場合に、当該閲覧要求元となる利用者端末の識別情報を前記メモリに記憶された該当するリスト情報と照合する照合手段と、
前記照合の結果、前記閲覧要求元の利用者端末の識別情報が前記リスト情報に含まれている場合に、前記閲覧対象の伝言メッセージ情報を前記メモリから読み出して前記閲覧要求元の利用者端末へ送信する伝言メッセージ送信手段と
を具備することを特徴とする伝言サーバ装置。
【請求項８】
前記第１の登録受付手段は、登録対象の伝言メッセージ情報が複数のメッセージを含む場合に、当該複数のメッセージとこれらのメッセージに対し設定された詳細度レベルを前記メモリに記憶し、
前記第２の登録受付手段は、前記伝言メッセージを閲覧可能な利用者端末の一覧と当該閲覧可能な利用者端末に対し設定された親密度レベルとを含むリスト情報を、前記メモリに記憶し、
前記伝言メッセージ送信手段は、
前記閲覧要求元の利用者端末の識別情報が前記リスト情報に含まれている場合に、当該閲覧要求元の利用者端末に対し設定された親密度レベルと前記伝言メッセージ情報の複数のメッセージに対し設定された詳細度レベルとを比較する手段と、
前記比較結果に基づいて、前記閲覧要求元の利用者端末の親密度レベルに対応する詳細度レベルが設定されたメッセージを前記伝言メッセージ情報の中から選択的に読み出し、この読み出されたメッセージを前記閲覧要求元の利用者端末へ送信する手段と
を備えることを特徴とする請求項７記載の伝言サーバ装置。
【請求項９】
前記伝言メッセージ又は当該伝言メッセージの送信元となる利用者端末ごとに、当該伝言メッセージに対し閲覧要求を行った利用者端末の識別情報を含む閲覧履歴情報を作成して記憶する閲覧履歴管理手段を、さらに具備することを特徴とする請求項７記載の伝言サーバ装置。
【請求項１０】
前記利用者端末から、前記メモリに記憶されたリスト情報に対する編集要求が前記通信ネットワークを介して送られた場合に、当該編集要求に応じて前記リスト情報の内容を編集するリスト情報編集手段を、さらに具備することを特徴とする請求項７記載の伝言サーバ装置。
【請求項１１】
前記閲覧履歴管理手段は、伝言メッセージ又は当該伝言メッセージの送信元となる利用者端末ごとに、当該伝言メッセージに対し閲覧要求を行った利用者端末の識別情報と当該利用者端末による閲覧要求に対する前記照合手段の照合結果を表す情報とを含む閲覧履歴情報を作成して記憶することを特徴とする請求項９記載の伝言サーバ装置。
【請求項１２】
前記利用者端末が、通信相手のアドレス情報を記憶するアドレス帳を備えた携帯端末からなり、伝言メッセージを閲覧可能な利用者端末の一覧を示すリスト情報として前記アドレス帳に記憶されたアドレス情報を送信する機能を有する場合に、
前記第２の登録要求受付手段は、前記利用者端末から送られたアドレス情報を、伝言メッセージ又は当該伝言メッセージの送信元となる利用者端末の識別情報に対応付けて前記メモリに記憶することを特徴とする請求項７記載の伝言サーバ装置。
【請求項１３】
利用者が所持する複数の利用者端末に対し通信ネットワークを介して接続可能な、通信インタフェースとメモリとコンピュータとを備えた伝言サーバ装置で使用されるプログラムであって、
前記利用者端末から前記通信ネットワークを介して送られる伝言メッセージ情報を前記通信インタフェースにより受信させ、この受信された伝言メッセージ情報を送信元の利用者端末の識別情報に対応付けて前記メモリに記憶させる処理と、
前記伝言メッセージの送信元となる利用者端末から、当該伝言メッセージを閲覧可能な利用者端末の一覧を示すリスト情報が前記通信ネットワークを介して送られた場合に、当該リスト情報を前記通信インタフェースにより受信させ、この受信されたリスト情報を前記伝言メッセージ又は当該伝言メッセージの送信元となる利用者端末の識別情報に対応付けて前記メモリに記憶させる処理と、
前記利用者端末から前記伝言メッセージの閲覧要求が前記通信ネットワークを介して送られた場合に、当該閲覧要求を前記通信インタフェースにより受信させ、当該閲覧要求元となる利用者端末の識別情報を前記メモリに記憶された該当するリスト情報と照合する処理と、
前記照合の結果、前記閲覧要求元の利用者端末の識別情報が前記リスト情報に含まれている場合に、前記閲覧対象の伝言メッセージ情報を前記メモリから読み出して前記通信インタフェースにより前記閲覧要求元の利用者端末へ送信させる処理と
を、前記コンピュータに実行させることを特徴とする伝言サーバ装置のプログラム。
【請求項１４】
利用者が所持する複数の利用者端末に対し通信ネットワークを介して接続可能な、通信インタフェースとメモリとコンピュータとを備えた伝言サーバ装置で使用されるプログラムを記録する記録媒体であって、
前記利用者端末から前記通信ネットワークを介して送られる伝言メッセージ情報を前記通信インタフェースにより受信させ、この受信された伝言メッセージ情報を送信元の利用者端末の識別情報に対応付けて前記メモリに記憶させる処理と、
前記伝言メッセージの送信元となる利用者端末から、当該伝言メッセージを閲覧可能な利用者端末の一覧を示すリスト情報が前記通信ネットワークを介して送られた場合に、当該リスト情報を前記通信インタフェースにより受信させ、この受信されたリスト情報を前記伝言メッセージ又は当該伝言メッセージの送信元となる利用者端末の識別情報に対応付けて前記メモリに記憶させる処理と、
前記利用者端末から前記伝言メッセージの閲覧要求が前記通信ネットワークを介して送られた場合に、当該閲覧要求を前記通信インタフェースにより受信させ、当該閲覧要求元となる利用者端末の識別情報を前記メモリに記憶された該当するリスト情報と照合する処理と、
前記照合の結果、前記閲覧要求元の利用者端末の識別情報が前記リスト情報に含まれている場合に、前記閲覧対象の伝言メッセージ情報を前記メモリから読み出して前記通信インタフェースにより前記閲覧要求元の利用者端末へ送信させる処理と
を、前記コンピュータに実行させるプログラムを記録した記録媒体。
【発明の詳細な説明】
【技術分野】
【０００１】
この発明は、複数の利用者端末間で伝言サーバ装置を介して伝言メッセージを伝送するための方法と、上記伝言サーバ装置及びこの伝言サーバ装置で使用されるプログラムとその記録媒体に関する。
【背景技術】
【０００２】
大震災等の大規模災害が発生した場合には、被災地の住民の安否を確認するために被災地に対し多くの電話による発信が集中し、通信事業者が発着信規制を行ったために電話がかかりにくくなる状態が長時間続くことがある。そこで、地震や台風等による災害発生時において、利用者が携帯電話機等を使用して自身の安否を表す情報を伝言板に登録し、これを家族や知人、職場の同僚等が固定電話機や携帯電話機、パーソナル・コンピュータ等を使用してアクセスすることにより閲覧できるようにした、いわゆる災害用伝言板サービスが、各通信事業者から提供されている（例えば、非特許文献１、非特許文献２又は非特許文献３を参照。）。
【０００３】
【非特許文献１】ＮＴＴ東日本  災害用伝言ダイヤル１７１  ＜URL：http://www.ntt-east.co.jp/saigai/voice171/＞
【０００４】
【非特許文献２】ｉモード災害用伝言板サービス、ＮＴＴドコモ、  ＜URL:http://www.nttdocomo.co.jp/info/disaster/index.html＞
【０００５】
【非特許文献３】「特集  電話系サービスの動向  新たなサービスの展開と機能拡充  （３）災害時の輻輳緩和及び通信手段確保用としての災害対策用全国利用型伝言ダイヤル（仮称）」、ＮＴＴ技術ジャーナル、Vol.9,No12,Dec.1997,pp.66
【発明の開示】
【発明が解決しようとする課題】
【０００６】
ところが、この種の従来の伝言板サービスは、上記したように伝言メッセージを登録要求元の利用者端末の電話番号に対応付けて伝言板に登録しておき、家族等が上記登録要求元の利用者端末の電話番号をキーに上記伝言板をアクセスすることにより、上記伝言メッセージを閲覧するように構成されている。このため、上記登録要求元の利用者端末の電話番号さえ知ってしまえば、上記伝言メッセージを登録した利用者とは無関係の者であっても伝言メッセージを閲覧することが可能となる。したがって、伝言板に登録した伝言メッセージの秘匿性が確保できないという問題点があった。
【０００７】
この発明は上記事情に着目してなされたもので、その目的とするところは、伝言メッセージをその秘匿性を確保しつつ伝送できるようにした伝言メッセージ伝送方法、伝言サーバ装置及びこの伝言サーバ装置で使用されるプログラムとその記録媒体を提供することにある。
【課題を解決するための手段】
【０００８】
上記目的を達成するためにこの発明の一観点は、利用者端末から伝言サーバ装置へ伝言メッセージ情報を通信ネットワークを介して伝送して、この伝言メッセージ情報を上記送信元の利用者端末の識別情報に対応付けて伝言サーバ装置内のメモリに記憶する。またそれと共に、上記伝言メッセージの送信元となる利用者端末から上記伝言サーバ装置へ、上記伝言メッセージを閲覧可能な利用者端末の一覧を示すリスト情報を上記通信ネットワークを介して伝送して、このリスト情報を上記伝言メッセージ又は当該伝言メッセージの送信元となる利用者端末の識別情報に対応付けて上記メモリに記憶する。そして、利用者端末が伝言メッセージの閲覧要求を通信ネットワークを介して上記伝言サーバ装置へ送信した場合に、上記伝言サーバ装置において閲覧要求元となる利用者端末の識別情報を上記メモリに記憶された該当するリスト情報と照合し、この照合の結果上記閲覧要求元となる利用者端末の識別情報が上記リスト情報に含まれている場合に、上記閲覧対象の伝言メッセージ情報を上記メモリから読み出して上記閲覧要求元の利用者端末へ送信するようにしたものである。
【０００９】
したがって、登録された伝言メッセージを閲覧しようとする場合には、当該伝言メッセージ情報に対応付けて予め登録されたリスト情報に含まれる利用者端末からのみ閲覧が可能となる。このため、上記伝言メッセージ情報を登録した利用者とは無関係の者が、上記登録をした利用者端末の識別情報を知ったとしても、上記伝言メッセージ情報を閲覧することは不可能となる。したがって、上記伝言メッセージ情報の秘匿性は確保される。
【００１０】
また、この発明は次のような各種機能を備えることも特徴とする。  
第１の機能は、伝言メッセージを登録する際に、利用者端末において登録対象の伝言メッセージ情報を構成する複数のメッセージの各々に対し詳細度レベルを設定して伝言サーバ装置へ送信し、伝言サーバ装置において上記利用者端末から送られた複数のメッセージをその詳細度レベルと共にメモリに記憶する。またそれと共に、リスト情報を登録する際に、利用者端末において上記伝言メッセージを閲覧可能な利用者端末の一覧と当該閲覧可能な利用者端末に対し設定された親密度レベルとを含むリスト情報を上記伝言サーバ装置へ送信し、伝言サーバ装置において上記利用者端末から送られた閲覧可能な利用者端末の一覧と当該閲覧可能な利用者端末に対し設定された親密度レベルとを含むリスト情報を上記メモリに記憶する。そして、利用者端末からの閲覧要求に応じて伝言メッセージを送信する際に、閲覧要求元の利用者端末に対し設定された親密度レベルと、上記伝言メッセージ情報の複数のメッセージに対し設定された詳細度レベルとを比較し、この比較結果に基づいて上記閲覧要求元の利用者端末の親密度レベルに対応する詳細度レベルが設定されたメッセージを上記伝言メッセージ情報の中から選択的に読み出して送信する。
【００１１】
したがって、閲覧要求に応じて伝言メッセージを送信する場合に、当該伝言メッセージの登録者に対する上記閲覧要求元の利用者の親密度に応じて、閲覧可能なメッセージが制限される。例えば、家族等のように親密度が高い利用者からの閲覧要求に対してはすべてのメッセージの閲覧が可能となり、一方職場の同僚等のように親密度がさほど高くない利用者からの閲覧要求に対しては限定されたメッセージのみが閲覧可能となる。
【００１２】
第２の機能は、伝言サーバ装置において、伝言メッセージ情報又は当該伝言メッセージ情報の送信元となる利用者端末ごとに、当該伝言メッセージ情報に対し閲覧要求を行った利用者端末の識別情報を含む閲覧履歴情報を作成して記憶するものである。  
このような機能を備えることで、例えば伝送メッセージ情報を登録した利用者は自身の伝言メッセージ情報に対する閲覧履歴を確認することが可能となる。
【００１３】
第３の機能は、利用者端末から伝言サーバ装置へ、伝言サーバ装置のメモリに記憶されたリスト情報に対する編集要求を通信ネットワークを介して送信し、伝言サーバ装置において上記利用者端末から送られた編集要求に応じて該当するリスト情報の内容を編集するものである。  
このような機能を備えることで、伝言メッセージ情報を登録した利用者は、リスト情報を登録した後に、当該リスト情報への閲覧可能者の追加、リスト情報に含まれる閲覧可能者の削除や変更を任意に行うことが可能となる。
【００１４】
第４の機能は、伝言サーバ装置において、伝言メッセージ情報又は当該伝言メッセージ情報の送信元となる利用者端末ごとに、当該伝言メッセージ情報に対し閲覧要求を行った利用者端末の識別情報に加え、当該利用者端末による閲覧要求に対する照合手段の照合結果を表す情報を含んだ閲覧履歴情報を作成し記憶するものである。  
したがって、例えば伝送メッセージを登録した利用者は、閲覧要求を行った利用者端末の識別情報から閲覧要求元の利用者を特定できると共に、当該閲覧要求に対し伝言メッセージの閲覧が許可されたか否かを確認することが可能となる。
【００１５】
第５の機能は、利用者端末が通信相手のアドレス情報を記憶するアドレス帳を備えた携帯端末からなる場合に、両者端末において伝言メッセージを閲覧可能な利用者端末を表す情報としてアドレス情報を上記アドレス帳から選択的に読み出して伝言サーバ装置へ送信し、伝言サーバ装置において上記利用者端末から送られたアドレス情報を伝言メッセージ又は当該伝言メッセージの送信元となる利用者端末の識別情報に対応付けてメモリに記憶するものである。  
このような機能を備えることで、携帯端末が備えているアドレス帳を利用してリスト情報を作成し、伝言サーバ装置に登録することが可能となる。
【発明の効果】
【００１６】
要するにこの発明によれば、伝言メッセージをその秘匿性を確保しつつ伝送できるようにした伝言メッセージ伝送方法、伝言サーバ装置及びこの伝言サーバ装置で使用されるプログラムとその記録媒体を提供することができる。
【発明を実施するための最良の形態】
【００１７】
以下、図面を参照してこの発明に係わる実施形態を説明する。
図１は、この発明に係わる伝言サーバ装置を備えたシステムの第１の実施形態を示す概略構成図である。同図において、ＳＶは例えば通信事業者が運用する伝言サーバ装置（以後センタサーバと称する）であり、例えばＷＷＷ（World Wide Web）サーバにより構成される。このセンタサーバＳＶには通信ネットワークＮＷを介して複数の利用者端末ＭＳ１〜ＭＳｎが接続可能になっている。これらの利用者端末ＭＳａ〜ＭＳｈは携帯電話機やＰＤＡ（Personal Digital Assistant）等の携帯端末からなり、上記通信事業者が上記センタサーバＳＶを用いて提供する伝言板サービスを利用するために必要なブラウザ及び電子メールの送受信機能を備えている。
【００１８】
なお、通信ネットワークＮＷは、例えばインターネットに代表されるＩＰ（Internet Protocol）網と、このＩＰ網にアクセスするためのアクセス網とから構成される。アクセス網としては、例えば自動車携帯電話網や無線ＬＡＮ（Local Area Network）が用いられる。
【００１９】
ところで、上記センタサーバＳＶは次のように構成される。図２はその構成を示すブロック図である。すなわち、センタサーバＳＶは中央処理ユニット（ＣＰＵ；Central Processing Unit）を備え、このＣＰＵ１１にはバス１２を介してプログラムメモリ１３、通信インタフェース（通信Ｉ／Ｆ）１４、及びデータベース１５が接続されている。
【００２０】
このうち通信インタフェース１４は、上記ＣＰＵ１１の制御の下で、通信ネットワークＮＷを介して上記利用者端末ＭＳａ〜ＭＳｎとの間で伝言メッセージ及び識別コードリスト情報を送受信する。なお、通信プロトコルとしては、例えばＴＣＰ／ＩＰ（Transmission Control Protocol/Internet Protocol）が使用される。
【００２１】
データベース１５は記憶媒体としてハードディスク等の随時書き込み及び読み出しが可能な不揮発性メモリを使用したもので、上記ＣＰＵ１１の制御の下で、利用者端末ＭＳａ〜ＭＳｎから送られた伝言メッセージ情報及び識別コードリスト情報を送信元の利用者端末ＭＳａ〜ＭＳｎの識別コードに対応付けて格納する。
【００２２】
伝言メッセージ情報は、送信元の利用者端末ＭＳａ〜ＭＳｎの識別コード（登録者ＩＤ）と、メッセージ内容と、このメッセージ内容に対し登録者側が付与した詳細度を表す情報（詳細度レベル）とから構成される。識別コードリスト情報は、伝言メッセージの閲覧が許可された利用者名（ユーザ名）と、その電話番号と、上記ユーザ名に対し登録側が付与した登録者との親密度を表す情報（親密度レベル）とから構成される。図４はその一例を示すものである。
【００２３】
プログラムメモリ１３には、この発明を実施するために必要なアプリケーション・プログラムとして、メッセージ登録受付制御プログラム１３１と、識別コードリスト登録受付制御プログラム１３２と、メッセージ閲覧受付制御プログラム１３３と、閲覧メッセージ送信制御プログラム１３４と、識別コードリスト編集受付制御プログラム１３５と、閲覧履歴記憶制御プログラム１３６が格納されている。
【００２４】
メッセージ登録受付制御プログラム１３１は、利用者端末ＭＳａ〜ＭＳｎから例えば伝言メッセージ登録要求用の電子メールが通信ネットワークＮＷを介して送られた場合に、当該電子メールを通信インタフェース１４に受信させる。そして、この受信された電子メールから、登録要求元の利用者端末ＭＳａ〜ＭＳｎの識別コード（電話番号）と、伝言メッセージの内容と、その詳細度レベルをそれぞれ抽出し、この抽出した伝言メッセージの内容及びその詳細度レベルを、登録要求元の利用者端末の電話番号に対応付けてデータベース１５に記憶させる制御を、上記ＣＰＵ１１に実行させる。
【００２５】
識別コードリスト登録受付制御プログラム１３２は、上記伝言メッセージの送信元となる利用者端末ＭＳａ〜ＭＳｎからリスト情報登録要求用電子メールが通信ネットワークＮＷを介して送られた場合に、当該電子メールを上記通信インタフェース１４に受信させる。そして、この受信された電子メールから識別コードリスト情報と登録要求元の利用者端末の識別コード（電話番号）をそれぞれ抽出し、この抽出した識別コードリスト情報を登録要求元の利用者端末の電話番号に対応付けて上記データベース１５に記憶させる処理を、上記ＣＰＵ１１に実行させる。
【００２６】
メッセージ閲覧受付制御プログラム１３３は、上記利用者端末ＭＳａ〜ＭＳｎから伝言メッセージの閲覧要求が通信ネットワークＮＷを介して送られた場合に、当該閲覧要求を上記通信インタフェース１４に受信させる。この閲覧要求には、閲覧要求であることを表す制御コマンドと、閲覧要求元の利用者端末の電話番号と、閲覧対象となる利用者端末の電話番号が含まれている。メッセージ閲覧受付制御プログラム１３３は、閲覧対象となる利用者端末の電話番号をキーとして識別コードリスト情報をデータベース１５から読み出し、上記閲覧要求元の利用者端末の電話番号が上記識別コードリスト情報に含まれているか否かを判定する処理を、上記ＣＰＵ１１に実行させる。
【００２７】
閲覧メッセージ送信制御プログラム１３４は、上記判定の結果、閲覧要求元の利用者端末の電話番号が上記識別コードリスト情報に含まれていた場合に、閲覧対象となる利用者端末の電話番号をキーとしてデータベース１５から閲覧対象の伝言メッセージ情報を読み出し、この読み出された伝言メッセージ情報を通信インタフェース１４から上記閲覧要求元の利用者端末へ向け送信させる処理を、上記ＣＰＵ１１に実行させる。
【００２８】
識別コードリスト編集受付制御プログラム１３５は、データベース１５に記憶された識別コードリスト情報に対する編集要求が利用者端末ＭＳａ〜ＭＳｎから通信ネットワークＮＷを介して送られた場合に、当該編集要求を通信インタフェース１４に受信させる。編集要求には、編集要求である旨の制御コマンドと、編集の種類を表す情報と、編集内容を表す情報が含まれる。識別コードリスト編集受付制御プログラム１３５は、当該編集要求に応じて編集対象の識別コードリスト情報の内容を編集する処理を、上記ＣＰＵ１１に実行させる。
【００２９】
閲覧履歴記憶・送信制御プログラム１３６は、データベース１５に登録された伝言メッセージ情報ごとに、当該伝言メッセージ情報に対する他の利用者端末からの閲覧履歴を表す情報を作成してデータベース１５に記憶させる処理を、上記ＣＰＵ１１に実行させる。閲覧履歴を表す情報には、１回の閲覧ごとに、閲覧要求元の利用者端末ＭＳａ〜ＭＳｎの電話番号と、閲覧の可否を表す情報が追加される。
【００３０】
一方、利用者端末ＭＳａ〜ＭＳｎは携帯端末からなり、次のように構成される。図３はその構成を示すブロック図である。  
すなわち、利用者端末ＭＳａ〜ＭＳｎは、アンテナ２１と、無線ユニット２２と、信号処理ユニット２３と、スピーカ２４と、マイクロホン２５と、制御ユニット２６と、キー入力デバイス２７と、表示デバイス２８と、アドレス帳メモリ２９と、バッテリを使用した電源ユニット（図示せず）とから構成される。
【００３１】
このうちアンテナ２１、無線ユニット２２及び信号処理ユニット２３は、制御ユニット２６の制御の下で、周波数変換や変復調、符号復号処理等の通信ネットワークＮＷとの間で無線送受信を行うために必要な動作を行う。スピーカ２４及びマイクロホン２５は通話を行うために使用される。
【００３２】
アドレス帳メモリ２９は記憶媒体としてＮＡＮＤ型フラッシュメモリを使用したもので、このアドレス帳メモリ２９には通信相手の名前と電話番号とからなる複数件のアドレス帳データが格納される。また、アドレス帳データには、通信相手との間の親密度レベルを表す情報も含まれる。この親密度レベルを表す情報は利用者自身が任意に設定する。例えば、家族や親戚に対しては親密度レベル“高”を、一方職場の同僚や友人に対しては親密度“低”をそれぞれ設定する。
【００３３】
キー入力デバイス２７はダイヤルキーとマルチファンクションキー等の機能キーにより構成され、電話通信時には通信相手の電話番号を入力するために使用される。また、例えば電子メールを使用して伝言メッセージを送信する際には、送信相手先のアドレスや伝言メッセージを入力するために使用され、さらに伝言メッセージを閲覧する際にはブラウザを操作するために使用される。表示デバイス２８は液晶ディスプレイからなり、アドレス帳データや伝言メッセージ、端末の動作状態を表す各種ピクト情報を表示するために使用される。
【００３４】
ところで、制御ユニット２６はマイクロプロセッサとプログラムメモリとデータメモリとから構成され、この発明に係わる制御機能として、メッセージ登録要求制御モジュール２６１と、識別コードリスト登録制御モジュール２６２と、メッセージ閲覧要求制御モジュール２６３と、メッセージ受信表示制御モジュール２６４と、識別コードリスト編集要求制御モジュール２６５とを備えている。これらの制御モジュール２６１〜２６５はいずれも、アプリケーション・プログラムを上記マイクロプロセッサに実行させることにより実現される。
【００３５】
メッセージ登録要求制御モジュール２６１は、利用者によるキー入力デバイス２７の入力操作に応じて伝言メッセージを作成し、この伝言メッセージを例えば伝言メッセージ登録要求用電子メールの本文に挿入するか又は添付ファイルとして添付する。また、上記伝言メッセージには、利用者の入力操作に応じて詳細度レベルを表す情報を付加する。そして、以上のように構成された伝言メッセージ登録要求用の電子メールを信号処理ユニット２３２へ出力し、無線ユニット２２からセンタサーバＳＶに向け送信させる。
【００３６】
識別コードリスト登録制御モジュール２６２は、上記伝言メッセージの送信後に、利用者によるキー入力デバイス２７の入力操作に応じて識別コードリスト情報を作成する。このリスト情報の作成は、アドレス帳メモリ２９からアドレス帳データを読み出して、その中から閲覧可能とする通信相手を選択することにより行われる。そして、上記作成されたリスト情報をリスト情報登録要求用電子メールに添付ファイルとして添付し、この電子メールを信号処理ユニット２３２へ出力して、無線ユニット２２からセンタサーバＳＶに向け送信させる。
【００３７】
メッセージ閲覧要求制御モジュール２６３は、キー入力デバイス２７において伝言メッセージの閲覧要求操作が行われた場合にブラウザを起動し、伝言メッセージの閲覧要求をセンタサーバＳＶに送信する。この閲覧要求には、その旨の制御コマンドと、キー入力デバイス２７において利用者が入力した閲覧対象となる利用者端末の電話番号と、認証用コードとしての自端末の電話番号が含まれる。なお、このときパスワードを併せて含めるようにしてもよい。
【００３８】
またメッセージ閲覧要求制御モジュール２６３は、キー入力デバイス２７において閲覧履歴確認操作が行われた場合にもブラウザを起動し、自端末が登録した伝言メッセージに対する閲覧履歴の確認要求を送信する機能を有する。この閲覧履歴確認要求には、その旨の制御コマンドと、キー入力デバイス２７において利用者が入力した自端末の電話番号が含まれる。なお、この場合にもパスワードを含めるようにしてもよい。
【００３９】
メッセージ受信・表示制御モジュール２６４は、上記閲覧要求に対しセンタサーバＳＶから伝言メッセージ情報が送られた場合、及び上記閲覧履歴の確認要求に対しセンタサーバＳＶから閲覧履歴情報が送られた場合に、無線ユニット２２及び信号処理ユニット２３に上記伝言メッセージ情報及び閲覧履歴情報を受信させ、受信された伝言メッセージ情報及び閲覧履歴情報を表示デバイス２８に表示させる。
【００４０】
識別コードリスト編集要求制御モジュール２６５は、例えばキー入力デバイス２７において識別コードリスト情報の確認要求操作が行われた場合にブラウザを起動し、識別コードリスト情報の確認要求をセンタサーバＳＶに送信する。これに対しセンタサーバＳＶから識別コードリスト情報が送られるとこのリスト情報を表示デバイス２８に表示させる。そして、この状態で利用者がキー入力デバイス２７において閲覧可能とする通信相手の追加、削除又は変更操作を行うと、編集要求を作成してセンタサーバＳＶへ送信する。編集要求には、編集要求である旨の制御コマンドと、編集の種類（追加、削除又は変更）を表す情報と、その編集内容を表す情報が含められる。
【００４１】
次に、以上のように構成されたセンタサーバＳＶ及び利用者端末ＭＳａ〜ＭＳｎの動作を説明する。  
図５はこれらのセンタサーバＳＶ及び利用者端末ＭＳａ〜ＭＳｎからなる伝言板サービスシステムの動作手順とその内容を示すフローチヤートである。なお、ここでは、センタサーバＳＶに対し利用者端末ＭＳａが伝言メッセージ情報を登録し、他の利用者端末ＭＳｂ，ＭＳｃ，…が上記登録された伝言メッセージ情報を閲覧しようとする場合を例にとって説明する。
【００４２】
（１）伝言メッセージ情報の登録  
例えば地震等の大規模災害が発生した場合に、利用者（ユーザ）Ａは自身の利用者端末ＭＳａにおいて先ず伝言メッセージ情報の登録要求操作を行う。この操作に応じて、利用者端末ＭＳａではステップＳ５１において伝言メッセージ情報の登録要求制御が、またセンタサーバＳＶではステップＳ５２において伝言メッセージ情報の登録受付制御がそれぞれ実行される。図６はその制御手順と制御内容を示すフローチャートである。
【００４３】
すなわち、利用者端末ＭＳａの制御ユニット２６は、利用者のモード設定操作によりメッセージ登録要求モードが設定されると、伝言メッセージ登録要求用電子メールの入力画面を表示デバイス２８に表示させ、ステップＳ６１において伝言メッセージの入力操作を監視する。この状態で、利用者がキー入力デバイス２７により伝言メッセージを入力すると、ステップＳ６２により電子メール本文に挿入するべき伝言メッセージを作成する。なお、上記伝言メッセージ登録要求用電子メールには、宛先としてセンタサーバＳＶのアドレスが、また登録要求元の情報として自端末の電話番号がそれぞれ挿入されている。
【００４４】
上記伝言メッセージの作成が終了すると制御ユニット２６は、ステップＳ６３からステップＳ６４に移行する。ここで、利用者が上記伝言メッセージに対しその詳細度レベルを入力すると、制御ユニット２６はこの入力された詳細度レベルを上記伝言メッセージに付加する。例えば、「無事です。」のような基本的なメッセージには“基本”が、また「自宅半壊。しばらく、避難所に待機しています。」のような詳細なメッセージには“詳細”がそれぞれ付加される。  
そして、利用者が送信操作を行うと、制御ユニット２６はステップＳ６６に移行して、上記伝言メッセージ登録要求用電子メールをセンタサーバＳＶに向け送信させる。
【００４５】
一方、センタサーバＳＶのＣＰＵ１１は以下のように伝言メッセージ情報の登録受付制御を実行する。すなわち、先ずステップＳ６７において上記伝言メッセージ登録要求用電子メールの到来を検出すると、ステップＳ６８においてこの電子メールを通信インタフェース１４から取り込む。続いてステップＳ６９において、上記受信された電子メールから送信者（登録要求者）の識別コード（電話番号）と、伝言メッセージの内容と、その詳細度レベルをそれぞれ抽出し、この抽出した伝言メッセージの内容及びその詳細度レベルを、上記抽出した登録要求元の利用者端末の電話番号に対応付けてデータベース１５に記憶させる（ステップＳ７０）。
【００４６】
（２）識別コードリスト情報の登録  
上記伝言メッセージ情報の登録が終了すると、利用者Ａは続いて識別コードリスト情報の登録要求操作を行う。この操作に応じて、利用者端末ＭＳａではステップＳ５３において識別コードリスト情報の登録要求制御が、またセンタサーバＳＶではステップＳ５４において識別コードリスト情報の登録受付制御がそれぞれ実行される。図７はその制御手順と制御内容を示すフローチャートである。
【００４７】
すなわち、利用者端末ＭＳａの制御ユニット２６は、利用者のモード設定操作により識別コードリストの登録要求モードが設定されると、ステップＳ７１によりアドレス帳メモリ２９からアドレス帳データを読み出して表示デバイス２８に表示させ、ステップＳ７２において閲覧を許可する通信相手の選択操作を監視する。この状態で、利用者がキー入力デバイス２７により通信相手を選択すると、ステップＳ７３により上記選択された通信相手の名称及び電話番号をアドレス帳メモリ２９から読み出して識別コードリストを作成する。
【００４８】
続いて制御ユニット２６はステップＳ７４に移行する。ここで、利用者が上記選択した通信相手との間の親密度レベルを表す情報を入力すると、制御ユニット２６はこの入力された親密度レベルを上記通信相手の情報に付加する。例えば、家族や親戚に対しては親密度レベル“高”を、一方職場の同僚や友人に対しては親密度“低”をそれぞれ付加する。なお、アドレス帳メモリ２９に通信相手に対応付けて予め親密度レベルが登録されている場合には、上記ステップＳ７４による親密度の入力受付処理は省略される。
【００４９】
そして、利用者が送信操作を行うと、制御ユニット２６はステップ７５からステップＳ７６に移行し、上記識別コードリストに親密度レベルを付加した識別コードリスト情報を識別コードリスト登録要求用の電子メールに添付し、この電子メールをセンタサーバＳＶに向け送信させる。なお、上記識別コードリスト登録要求用の電子メールには、宛先としてセンタサーバＳＶのアドレスが、また登録要求元の情報として自端末の電話番号がそれぞれ挿入されている。
【００５０】
一方、センタサーバＳＶのＣＰＵ１１は以下のように識別コードリスト情報の登録受付制御を実行する。すなわち、先ずステップＳ７７において上記識別コードリスト情報登録要求用の電子メールの到来を検出すると、ステップＳ７８においてこの電子メールを通信インタフェース１４から取り込む。続いてステップＳ７９において、上記受信された電子メールから送信者（登録要求者）の電話番号と、識別コードリスト情報をそれぞれ抽出し、この抽出した識別コードリスト情報を上記抽出した登録要求元の利用者端末の電話番号に対応付けてデータベース１５に記憶させる（ステップＳ８０）。
【００５１】
かくしてデータベース１５には、例えば図４に示すように、メッセージ内容及びその詳細度レベルからなる伝言メッセージ情報と、ユーザ名、連絡先電話番号及び親密度レベルからなる識別コードリスト情報が、登録要求元の利用者端末の電話番号に対応付けられて記憶される。
【００５２】
（３）伝言メッセージ情報の閲覧  
利用者端末ＭＳｂ，ＭＳｃ，ＭＳｄにおいて、その利用者が利用者端末ＭＳａの伝言メッセージを閲覧するべく閲覧要求操作を行ったとする。この場合、利用者端末ＭＳｂ，ＭＳｃ，ＭＳｄでは図５に示すステップＳ５７，Ｓ５９においてメッセージ閲覧要求制御が実行され、センタサーバＳＶではステップＳ５８，Ｓ６０においてメッセージ閲覧要求受付制御が実行される。図８はその制御手順と制御内容を示すフローチャートである。
【００５３】
すなわち、利用者端末ＭＳｂ，ＭＳｃ，ＭＳｄの利用者Ｂ，Ｃ，Ｄがキー入力デバイス２７において伝言メッセージの閲覧要求操作を行ったとする。そうすると、利用者端末ＭＳｂ，ＭＳｃ，ＭＳｄの制御ユニット２６は、ステップＳ８１からステップＳ８２に移行してブラウザを起動し、伝言メッセージの閲覧要求をセンタサーバＳＶへ送信する。この閲覧要求には、その旨の制御コマンドと、キー入力デバイス２７において利用者が入力した閲覧対象となる利用者端末ＭＳａの電話番号と、認証用コードとしての自端末ＭＳｂ，ＭＳｃ，ＭＳｄの電話番号が挿入される。例えば図１１に示す例では、利用者端末ＭＳｂからはＰ３に示す閲覧要求が、また利用者端末ＭＳｃからはＰ７に示す閲覧要求が、さらに利用者端末ＭＳｄからはＰ５に示す閲覧要求がそれぞれ送信される。
【００５４】
センタサーバＳＶのＣＰＵ１１は、ステップＳ８３において利用者端末ＭＳａ〜ＭＳｎからの閲覧要求の到来を監視している。この状態で、上記利用者端末ＭＳｂ，ＭＳｃ，ＭＳｄから閲覧要求が到来したとする。この場合ＣＰＵ１１は、先ずステップＳ８４により閲覧対象となる利用者端末ＭＳａの電話番号をキーとしてデータベース１５から識別コードリスト情報を読み出し、この識別コードリスト中に上記閲覧要求元の利用者端末ＭＳｂ，ＭＳｃ，ＭＳｄの電話番号が含まれているか否かを判定する。
【００５５】
この判定の結果、例えば図１１に示すように識別コードリストＰ２中に閲覧要求元の利用者端末ＭＳｂの電話番号「090-1234-8765」が含まれていたとする。そうするとＣＰＵ１１は、ステップＳ８５からステップＳ８６に移行して、上記識別コードリストＰ２を参照して当該閲覧要求元の利用者の親密度レベルを判定する。この判定の結果、親密度レベルが図８のＰ２に示すように“高”だったとする。この場合ＣＰＵ１１は、ステップＳ８７に移行し、対応する伝言メッセージ情報Ｐ１中から詳細度レベルが“基本”に設定された伝言メッセージと、詳細度レベルが“詳細”に設定された伝言メッセージをそれぞれ読み出す。そして、これらの伝言メッセージをステップＳ９０により閲覧要求元の利用者端末ＭＳｂへ送信する。
【００５６】
利用者端末ＭＳｂの制御ユニット２６は、ステップＳ９１により伝言メッセージの到来を監視しており、この状態でセンタサーバＳＶから伝言メッセージが送られると、当該伝言メッセージを無線ユニット２２及び信号処理ユニット２３に受信させ、この受信された伝言メッセージを取り込んでステップＳ９２により表示デバイス２８に表示させる。したがって、このとき利用者端末ＭＳｂの表示デバイス２８には、図１１のＰ４に示すように基本メッセージ及び詳細メッセージがそれぞれ表示される。
【００５７】
これに対し、例えば利用者端末ＭＳｄのように、上記ステップＳ８６による親密度レベルの判定の結果、親密度レベルが図８のＰ２に示すように“低”だったとする。この場合ＣＰＵ１１は、ステップＳ８８に移行し、対応する伝言メッセージ情報Ｐ１中から詳細度レベルが“基本”に設定された伝言メッセージのみを読み出す。そして、この伝言メッセージをステップＳ９０により閲覧要求元の利用者端末ＭＳｄへ送信する。
【００５８】
利用者端末ＭＳｄの制御ユニット２６は、センタサーバＳＶから伝言メッセージが送られると、当該伝言メッセージを無線ユニット２２及び信号処理ユニット２３に受信させて取り込み、ステップＳ９２により表示デバイス２８に表示させる。したがって、このとき利用者端末ＭＳｄの表示デバイス２８には、図１１のＰ６に示すように基本メッセージのみが表示される。
【００５９】
一方、例えば利用者端末ＭＳｃのように、上記ステップＳ８４，Ｓ８５による閲覧可否の判定の結果、図１１に示すように識別コードリストＰ２中に閲覧要求元の利用者端末ＭＳｃの電話番号「090-5678-1234」が含まれていなかったとする。そうするとＣＰＵ１１は、ステップＳ８５からステップＳ８９に移行して閲覧が不可能である旨のメッセージを作成し、この閲覧不可メッセージをステップＳ９０により閲覧要求元の利用者端末ＭＳｃへ送信する。
【００６０】
利用者端末ＭＳｃの制御ユニット２６は、センタサーバＳＶから閲覧不可メッセージが送られると、当該メッセージを無線ユニット２２及び信号処理ユニット２３に受信させて取り込み、ステップＳ９２により表示デバイス２８に表示させる。したがって、このとき利用者端末ＭＳｄの表示デバイス２８には閲覧不可メッセージが表示される。
【００６１】
（４）メッセージ閲覧履歴の記憶・送信動作  
センタサーバＳＶのＣＰＵ１１は、伝言メッセージ情報に対する閲覧要求が到来するごとに、当該伝送メッセージに対する閲覧履歴情報を作成して記憶する。図９はその制御手順と制御内容を示すフローチャートである。
【００６２】
センタサーバＳＶのＣＰＵ１１は、ステップＳ９１により閲覧要求の到来を監視している。この状態で、前記（３）で述べたように利用者端末ＭＳｂ〜ＭＳｄから伝言メッセージの閲覧要求が到来すると、ＣＰＵ１１はステップＳ９４により閲覧対象の伝言メッセージ情報に対する閲覧履歴を表す情報を作成する。例えば、図１２のＱ１に示すように、閲覧要求順に、閲覧要求元の利用者端末のユーザ名とその電話番号、閲覧要求日時、閲覧の可否を表す情報からなる履歴を作成する。そして、ＣＰＵ１１は上記作成された閲覧履歴情報をステップＳ９５によりデータベース１５に記憶させる。
【００６３】
一方、センタサーバＳＶのＣＰＵ１１は、上記ステップＳ９３により閲覧要求の到来を監視しながら、ステップＳ９６において閲覧確認要求の到来を監視している。この状態で、いま例えば利用者端末ＭＳａからメッセージ閲覧履歴の確認要求が到来したとする。この閲覧確認要求には、その旨の制御コマンドと、要求元の利用者端末ＭＳａの電話番号が含まれている。そうするとＣＰＵ１１は、ステップＳ９７において上記確認要求から要求元の利用者端末ＭＳａの電話番号を抽出し、この抽出した電話番号がデータベース１５に登録されているか否かを判定する。この判定の結果、該当する電話番号が登録されていれば、ステップＳ９８からステップＳ９９に移行して、上記電話番号に対応付けて記憶されている伝言メッセージ情報に係わる閲覧履歴情報をデータベース１５から読み出し、この閲覧履歴情報を要求元の利用者端末ＭＳａへ送信する。
【００６４】
利用者端末ＭＳａの制御モジュール２６は、上記閲覧要求を送信する際にブラウザを起動してセンタサーバＳＶに対しアクセスし、この状態で上記閲覧要求を送信する。そして、この状態でセンタサーバＳＶから送られる閲覧履歴情報を無線ユニット２２及び信号処理ユニット２３２により受信させ、この受信された閲覧離履歴情報を表示デバイス２８に表示させる。図１２のＱ１はその一例を示すもので、利用者Ａはこの閲覧履歴情報により自己が登録した伝言メッセージ情報に対する他者からの閲覧状況、つまり誰が何時閲覧したかと、閲覧の可否を確認することが可能となる。
【００６５】
（５）識別コード履歴情報の編集  
ユーザＡは、自身がセンタサーバＳＶに登録した識別コードリスト情報を、必要に応じて追加、削除又は変更することができる。この場合ユーザＡは、自身の利用者端末ＭＳａにおいて識別コードリスト情報の編集要求操作を行う。そうすると利用者端末ＭＳａでは図５に示すステップＳ５５において識別コードリスト情報の編集要求制御が実行され、センタサーバＳＶではステップＳ５６において識別コードリスト情報の編集受付制御が実行される。図１０はその制御手順と制御内容を示すフローチャートである。
【００６６】
すなわち、利用者端末ＭＳａの利用者Ａがキー入力デバイス２７において識別コードリスト情報の編集要求操作を行ったとする。そうすると、利用者端末ＭＳａの制御ユニット２６は、先ずステップＳ１０１においてブラウザを起動し、識別コードリスト情報の確認要求をセンタサーバＳＶへ送信する。この識別コードリスト情報の確認要求には、その旨の制御コマンドと、要求元の自端末の電話番号が挿入される。
【００６７】
これに対しセンタサーバＳＶのＣＰＵ１１は、利用者端末ＭＳａから上記確認要求が到来すると、ステップＳ１０２においてこの確認要求から要求元の利用者端末ＭＳａの電話番号を抽出し、この電話番号に対応する識別コードリスト情報が登録されているか否かを判定する。この判定の結果、要求元の端末の電話番号に対応する識別コードリスト情報が登録されていれば、データベース１５から対応する識別コードリスト情報を読み出して要求元の利用者端末ＭＳａへ送信する。
【００６８】
利用者端末ＭＳａの制御ユニット２６は、上記センタサーバＳＶから識別コードリスト情報が送られると、ステップＳ１００３において無線ユニット２２及び信号処理ユニット２３に当該識別コードリスト情報を受信させ、この受信された識別コードリスト情報を取り込んで表示デバイス２８に表示させる。
【００６９】
さて、この状態で利用者がキー入力デバイス２７において閲覧可能とする利用者の追加、削除又は変更操作を行うと、制御ユニット２６はステップＳ１０４からステップＳ１０５に移行して、ここで編集要求を作成する。この編集要求には、編集要求である旨の制御コマンドと、編集の種類（追加、削除又は変更）を表す情報と、その編集内容を表す情報が含められる。また、閲覧可能な利用者の追加又は変更の場合で、利用者がキー入力デバイス２７において親密度レベルを入力した場合には、この入力された親密度レベルをステップＳ１０６により上記編集内容を表す情報に加える。そして、利用者がキー入力デバイス２７において送信操作を行うと、制御ユニット２６はステップＳ１０７からステップＳ１０８に移行して、上記編集要求をセンタサーバＳＶへ送信する。
【００７０】
センタサーバＳＶのＣＰＵ１１は、ステップＳ１０９において編集要求の到来を監視している。この状態で、利用者端末ＭＳａから識別コードリスト情報の編集要求が到来すると、ＣＰＵ１１はこの編集要求をステップＳ１１０において通信インタフェース１４から取り込む。続いてステップＳ１１１において、上記編集要求の内容に応じて識別コードリスト情報に新たなユーザ情報を追加したり、また不要となったユーザ情報を削除したり、変更の必要が生じたユーザ情報を修正する処理を行う。そして、ステップＳ１１２において、上記編集処理後の識別コードリスト情報を、それまでデータベース１５に記憶されていた対応する古いリスト情報に代えて記憶させる。  
このように識別コードリスト情報を更新すると、例えば利用者端末ＭＳｃのようにそれまで閲覧許可が与えられていなかった利用者についても、以後図１２に示すように閲覧要求Ｑ２を送信することにより、利用者端末ＭＳａの伝言メッセージ情報を閲覧することが可能となる。
【００７１】
以上述べたようにこの実施形態では、センタサーバＳＶのデータベース１５に登録された伝言メッセージ情報に対応付けて、当該伝言メッセージ情報の閲覧を許可する利用者端末の電話番号を記載した識別コードリスト情報を登録する。そして、他の利用者端末から上記伝言メッセージ情報の閲覧要求が送られた場合に、その閲覧要求元の利用者端末の電話番号が上記識別コードリスト情報に記載されているか否かを判定し、記載されている場合に上記伝言メッセージ情報を要求元の利用者端末に送信するようにしている。
【００７２】
したがって、登録された伝言メッセージを閲覧しようとする場合には、当該伝言メッセージ情報に対応付けて予め登録されたリスト情報に含まれる利用者端末からのみ閲覧が可能となる。このため、上記伝言メッセージ情報を登録した利用者とは無関係の者が、上記登録をした利用者端末の電話番号を知ったとしても、上記伝言メッセージ情報を閲覧することは不可能となる。したがって、上記伝言メッセージ情報の秘匿性を高く保持することができる。
【００７３】
また、上記伝言メッセージ情報を構成する複数のメッセージの各々に対し詳細度レベルを設定すると共に、上記識別コードリスト情報の各ユーザ情報に対し親密度レベルを設定する。そして、利用者端末からの閲覧要求に応じて伝言メッセージ情報を送信する際に、閲覧要求元の利用者端末に対し設定された親密度レベルと、上記伝言メッセージ情報の複数のメッセージに対し設定された詳細度レベルとを比較し、この比較結果に基づいて上記閲覧要求元の利用者端末の親密度レベルに対応する詳細度レベルが設定されたメッセージを上記伝言メッセージ情報の中から選択的に読み出して送信するようにしている。
【００７４】
したがって、閲覧要求に応じて伝言メッセージを送信する場合に、当該伝言メッセージの登録者に対する上記閲覧要求元の利用者の親密度に応じて、閲覧可能なメッセージが制限される。例えば、家族等のように親密度が高い利用者からの閲覧要求に対してはすべてのメッセージの閲覧が可能となり、一方職場の同僚や友人等のように親密度がさほど高くない利用者からの閲覧要求に対しては限定されたメッセージのみが閲覧可能となる。
【００７５】
さらに、センタサーバＳＶにおいて、伝言メッセージごとに、当該伝言メッセージに対し閲覧要求を行った利用者端末のユーザ名、電話番号及び閲覧日時を含み、さらには閲覧の可否を表す情報を含む閲覧履歴情報を作成して記憶する。そして、上記伝言メッセージの登録元の利用者端末からの確認要求に応じて、上記閲覧履歴情報を要求元の利用者端末へ送信するようにしている。
【００７６】
したがって、例えば伝送メッセージ情報を登録した利用者は自身の伝言メッセージ情報に対する他者からの閲覧状況を確認することが可能となる。また、閲覧の可否を表す情報をもとに、伝言メッセージ情報を閲覧することができたか否かについても確認することができる。
【００７７】
さらに、利用者端末ＭＳａからセンタサーバＳＶへ、センタサーバＳＶのデータベース１５に登録された識別コードリスト情報に対する編集要求を送信し、センタサーバＳＶにおいて上記利用者端末ＭＳａから送られた編集要求に応じて該当する識別コードリスト情報の内容を編集するようにしている。  
したがって、伝言メッセージ情報を登録した利用者は、識別コードリスト情報を登録した後に、当該リスト情報への閲覧可能者の追加、閲覧可能者の削除や変更を、必要に応じて任意に行うことが可能となる。
【００７８】
なお、この発明は上記実施形態に限定されるものではない。例えば、図１３に示すように家族用と会社用に別のアドレス帳Ｒ１，Ｒ２を用意し、これらのアドレス帳Ｒ１，Ｒ２ごとにＲ３のように親密度レベルを設定するようにしてもよい。このようにすると、センタサーバＳＶに識別コードリスト情報を登録する際に、ユーザごとにそれぞれ親密度レベルを設定する必要がなくなる。さらに、図１４に示すようにアドレス帳に登録されたユーザに対し親密度レベルとして“拒否”を設定しておくようにしてもよい。このようにすると、センタサーバＳＶに識別コードリスト情報を登録する際に、アドレス帳をそのまま識別コードリスト情報として登録することが可能となる。
【００７９】
前記実施形態では識別コードリスト情報を登録元の利用者端末の電話番号に対応付けて登録するようにしたが、伝言メッセージ情報ごとにこれに対応付けて登録するようにしてもよい。このようにすると、閲覧を許可する通信相手を利用者端末ごとではなく伝言メッセージ情報ごとに設定することができる。
【００８０】
前記実施形態では、伝言メッセージ情報を電子メールを用いてセンタサーバＳＶに登録する場合を例にとって説明したが、伝言メッセージ情報を利用者端末ＭＳａ〜ＭＳｎからセンタサーバＳＶへ音声により送り、センタサーバＳＶにおいてこの音声メッセージをディジタル化して記憶するようにしてもよい。
【００８１】
さらに、前記実施形態では伝言メッセージ情報を登録した後にその識別コードリスト情報を登録する場合を例にとって説明したが、伝言メッセージ情報に識別コードリスト情報を添付してセンタサーバＳＶに送信することにより、伝言メッセージ情報と識別コードリスト情報とを同時にセンタサーバＳＶに登録するようにしてもよい。
【００８２】
その他、伝言サーバ装置及び利用者端末の種類や構成、伝言メッセージ情報の登録、識別コードリスト情報の登録、伝言メッセージの閲覧、識別コードリスト情報の編集、閲覧履歴の記録と送信に係わる各制御手順とその制御内容などについても、この発明の要旨を逸脱しない範囲で種々変形して実施できる。
【００８３】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００８４】
【図１】この発明の一実施形態に係わる伝言サーバ装置を使用する伝言サービスシステムの概略構成図である。
【図２】図１に示したシステムで使用される伝言サーバ装置（センタサーバ）の構成を示すブロック図である。
【図３】図１に示したシステムで使用される利用者端末の構成を示すブロック図である。
【図４】図２に示したセンタサーバに記憶されるメッセージ情報及び識別コードリスト情報の一例を示す図である。
【図５】図１に示したシステムにおける動作シーケンスを示す図である。
【図６】図２に示したセンタサーバ及び図３に示した利用者端末によるメッセージ登録制御手順とその制御内容を示すフローチャートである。
【図７】図２に示したセンタサーバ及び図３に示した利用者端末による識別コードリスト登録制御手順とその制御内容を示すフローチャートである。
【図８】図２に示したセンタサーバ及び図３に示した利用者端末によるメッセージ閲覧制御手順とその制御内容を示すフローチャートである。
【図９】図２に示したセンタサーバによるメッセージ閲覧履歴記憶送信制御の手順と内容を示すフローチャートである。
【図１０】図２に示したセンタサーバ及び図３に示した利用者端末による識別コードリスト編集制御手順とその制御内容を示すフローチャートである。
【図１１】図６に示したメッセージ登録制御動作及び図７に示した識別コードリスト登録制御動作と、図８に示したメッセージ閲覧制御動作を説明するための図である。
【図１２】図９に示したメッセージ閲覧履歴記憶送信制御動作と図１０に示した識別コードリスト編集制御動作を説明するための図である。
【図１３】識別コードリスト情報の他の構成例を示す図である。
【図１４】識別コードリスト情報の別の構成例を示す図である。
【符号の説明】
【００８５】
ＳＶ…伝言サーバ装置（センタサーバ）、ＭＳａ〜ＭＳｎ…利用者端末、ＮＷ…通信ネットワーク、１１…ＣＰＵ、１２…バス、１３…プログラムメモリ、１４…通信インタフェース、１５…データベース、１３１…メッセージ登録受付制御プログラム、１３２…識別コードリスト登録受付制御プログラム、１３３…メッセージ閲覧受付制御プログラム、１３４…閲覧メッセージ送信制御プログラム、１３５…識別コードリスト編集受付制御プログラム、１３６…閲覧履歴記憶・送信制御プログラム、２１…アンテナ、２２…無線ユニット、２３…信号処理ユニット、２４…スピーカ、２５…マイクロホン、２６…制御ユニット、２７…キー入力デバイス、２８…表示デバイス、２９…アドレス帳メモリ、２６１…メッセージ登録要求制御モジュール、２６２…識別コードリスト登録制御モジュール、２６３…メッセージ閲覧要求制御モジュール、２６４…メッセージ受信・表示制御モジュール、２６５…識別コードリスト編集要求制御モジュール。
【図１】
2008283449.tif 000003
【図２】
2008283449.tif 000004
【図３】
2008283449.tif 000005
【図４】
2008283449.tif 000006
【図５】
2008283449.tif 000007
【図６】
2008283449.tif 000008
【図７】
2008283449.tif 000009
【図８】
2008283449.tif 000010
【図９】
2008283449.tif 000011
【図１０】
2008283449.tif 000012
【図１１】
2008283449.tif 000013
【図１２】
2008283449.tif 000014
【図１３】
2008283449.tif 000015
【図１４】
2008283449.tif 000016